(57)【要約】【課題】使用感を改善することができる野球用又はソフトボール用捕球具を提供する。【解決手段】本発明の一態様に係る野球用又はソフトボール用捕球具は、親指を受け入れる第１指袋と、人差し指を受け入れる第２指袋とを有する本体部と、第１指袋と第２指袋との間に配置され、かつ、第１指袋に沿う第１辺と、第１辺と対向する第２辺と、第１面と、第１面の反対面である第２面とを有するウェブとを備える。ウェブは、第１面に配置される第１部材と、第２面に配置される第２部材とを有する。ウェブは、第１部分と、第２部分とを含むループ部を有する。第１部分は、第１面側に配置される。第２部分は、第２面側に配置され、かつ、第１部分から折り返される。ループ部は、第１辺及び第２辺の少なくとも一方に設けられる。第１面には、第１部分と第１部材との境界に沿って配置される第１溝が設けられる。【選択図】図２
2019122718.tif 000002
【特許請求の範囲】
【請求項１】
親指を受け入れる第１指袋と、人差し指を受け入れる第２指袋とを有する本体部と、
前記第１指袋と前記第２指袋との間に配置され、かつ、前記第１指袋に沿う第１辺と、前記第１辺と対向する第２辺と、第１面と、前記第１面の反対面である第２面とを有するウェブとを備え、
前記ウェブは、前記第１面に配置される第１部材と、前記第２面に配置される第２部材とを有し、
前記ウェブは、前記第１面側に配置される第１部分と、前記第２面側に配置され、かつ前記第１部分から折り返される第２部分とを含む少なくとも１以上のループ部を有し、
前記ループ部は、前記第１辺及び前記第２辺の少なくとも一方に設けられ、
前記第１面には、前記第１部分と前記第１部材との境界に沿って配置される第１溝が設けられる、野球用又はソフトボール用捕球具。
【請求項２】
前記第１溝に位置する前記ウェブを構成する層の数は、前記第１溝に隣接して配置される前記ウェブを構成する層の数よりも少ない、請求項１に記載の野球用又はソフトボール用捕球具。
【請求項３】
前記第２面は、捕球面の一部を構成する、請求項１又は２に記載の野球用又はソフトボール用捕球具。
【請求項４】
前記ループ部は、前記第２辺に設けられる、請求項１〜３のいずれか１項に記載の野球用又はソフトボール用捕球具。
【請求項５】
前記ループ部の数は複数である、請求項１〜４のいずれか１項に記載の野球用又はソフトボール用捕球具。
【請求項６】
前記ウェブは、前記第１部材と前記第２部材との間に配置される第３部材をさらに有する、請求項１〜５のいずれか１項に記載の野球用又はソフトボール用捕球具。
【請求項７】
前記第１指袋と前記第２指袋との間の領域は、前記ウェブにより密閉されている、請求項１〜６のいずれか１項に記載の野球用又はソフトボール用捕球具。
【請求項８】
前記ループ部は、前記第２部材の一部である、請求項１〜７のいずれか１項に記載の野球用又はソフトボール用捕球具。
【請求項９】
前記第２面には、前記第２部分と前記第２部材との境界に沿って配置される第２溝が設けられる、請求項１〜７のいずれか１項に記載の野球用又はソフトボール用捕球具。
【発明の詳細な説明】
【技術分野】
【０００１】
本発明は、野球用又はソフトボール用捕球具に関する。
【背景技術】
【０００２】
従来から、特許文献１（意匠登録第１２０３３８０号公報）に記載の野球用グラブが知られている。特許文献１に記載の野球用グラブは、親指を受け入れる第１指袋と、人差し指を受け入れる第２指袋とを有する本体部と、第１指袋及び第２指袋との間に配置されるウェブとを備える。ウェブは、第１指袋に沿う第１辺と、第１辺と対向する第２辺とを有する。ウェブは、第１面と、第１面の反対面である第２面を有する。第２面は、捕球面を構成している。
【０００３】
ウェブは、第１面に配置される第１部材と、第２面に配置される第２部材とを有する。第１辺及び第２辺には、ループ部が設けられている。ループ部は、第２部材の一部を第１面側に折り返すとともに、折り返された部分の端部を第１部材に縫着することにより形成されている。ループ部に紐部材が挿通されることにより、ウェブは、本体部に取り付けられる。
【先行技術文献】
【特許文献】
【０００４】
【特許文献１】意匠登録第１２０３３８０号公報
【発明の概要】
【発明が解決しようとする課題】
【０００５】
上記のとおり、特許文献１に記載の野球用グラブにおいては、ループ部は、第２部材の一部を第１面側に折り返すとともに、折り返された部分の端部を第１部材に縫着することにより形成されている。そのため、折り返された第２部材が第１部材に縫着されている箇所において、ウェブを構成する部材の枚数が局所的に多くなっている。そのような箇所においては、ウェブの剛性が局所的に高くなっている。
【０００６】
使用者が野球用グラブを着用していない状態又は野球用グラブを着用した手に力を入れていない状態においては、野球用グラブは、平面視において、親指側から小指側に向かい凸状に湾曲する緩やかなアーチ形状（以下において、単に「アーチ形状」という）を保っている。しかしながら、ウェブに局所的に剛性が高い箇所が存在すると、使用者が野球用グラブを着用した手に力を入れた際に、そのような剛性の高い箇所を中心として折れ曲がり、アーチ形状が崩れる。アーチ形状が崩れると、受球時に捕球面側に形成される空間が小さくなるため、野球用グラブの使用感の低下につながる場合がある。
【０００７】
本発明は、上記のような従来技術の問題点に鑑みてなされたものである。より具体的には、本発明は、使用感を改善することができる野球用又はソフトボール用捕球具を提供するものである。
【課題を解決するための手段】
【０００８】
本発明の一態様に係る野球用又はソフトボール用捕球具は、親指を受け入れる第１指袋と、人差し指を受け入れる第２指袋とを有する本体部と、第１指袋と第２指袋との間に配置され、かつ、第１指袋に沿う第１辺と、第１辺と対向する第２辺と、第１面と、第１面の反対面である第２面とを有するウェブとを備える。ウェブは、第１面に配置される第１部材と、第２面に配置される第２部材とを有する。ウェブは、第１部分と、第２部分とを含むループ部を有する。第１部分は、第１面側に配置される。第２部分は、第２面側に配置され、かつ第１部分から折り返される。ループ部は、第１辺及び第２辺の少なくとも一方に設けられる。第１面には、第１部分と第１部材との境界に沿って配置される第１溝が設けられる。
【０００９】
上記の野球用又はソフトボール用捕球具において、第１溝に位置する前記ウェブを構成する層の数は、第１溝に隣接して配置される前記ウェブを構成する層の数よりも少なくてもよい。
【００１０】
上記の野球用又はソフトボール用捕球具において、第２面は、捕球面の一部を構成していてもよい。上記の捕球具において、ループ部は、第２辺に設けられていてもよい。上記の捕球具において、ループ部の数は、複数であってもよい。
【００１１】
上記の野球用又はソフトボール用捕球具において、ウェブは、第１部材と第２部材との間に配置される第３部材をさらに有していてもよい。
【００１２】
上記の野球用又はソフトボール用捕球具において、ウェブは、第１指袋と第２指袋１２との間の領域を密閉していてもよい。
【００１３】
上記の野球用又はソフトボール用捕球具において、ループ部は、第２部材の一部であってもよい。上記の野球用又はソフトボール用捕球具において、第２面には、第２部分と第２部材との境界に沿って配置される第２溝が設けられていてもよい。
【発明の効果】
【００１４】
本発明の一態様に係る野球用又はソフトボール用捕球具においては、ウェブの第１面にループ部の第１部分と第１部材との境界に沿って配置されている第１溝が設けられているため、ループ部の近傍においてウェブの剛性が局所的に高くなりにくい。そのため、本発明の一態様に係る野球用又はソフトボール用捕球具によると、使用者が捕球具を着用した手に力を入れたとしても、捕球具のアーチ形状を維持しやすく、使用感を改善することができる。
【図面の簡単な説明】
【００１５】
【図１】実施形態に係る野球用又はソフトボール用捕球具の正面図である。
【図２】実施形態に係る野球用又はソフトボール用捕球具におけるウェブ２のＩＩ−ＩＩ線での模式的な断面図である。
【図３】実施形態に係る野球用又はソフトボール用捕球具におけるウェブ２の変形例の模式的な断面図である。
【図４】比較例に係る野球用又はソフトボール用捕球具におけるウェブ２の模式的な断面図である。
【発明を実施するための形態】
【００１６】
本発明の実施形態の詳細を、図面を参照しながら説明する。なお、以下の図面においては、同一又は相当する部分に同一の符号を付し、重複する説明は繰り返さない。
【００１７】
（実施形態に係る野球用又はソフトボール用捕球具の構成）
以下に、実施形態に係る野球用又はソフトボール用捕球具の構成を説明する。
【００１８】
図１は、実施形態に係る野球用又はソフトボール用捕球具の正面図である。図１に示すように、実施形態に係る野球用又はソフトボール用捕球具は、本体部１と、ウェブ２とを有している。本体部１及びウェブ２には、例えば天然皮革、合成皮革等が用いられる。
【００１９】
本体部１は、第１指袋１１と、第２指袋１２と、第３指袋１３と、第４指袋１４と、第５指袋１５と、掌袋１６とを有している。第１指袋１１は、使用者の親指を受け入れる。第２指袋１２は、使用者の人差し指を受け入れる。第３指袋１３は、使用者の中指を受け入れる。第４指袋１４は、使用者の薬指を受け入れる。第５指袋１５は、使用者の小指を受け入れる。掌袋１６は、使用者の掌を受け入れる。
【００２０】
第１指袋１１と第２指袋１２とは、互いに離間して配置されている。第３指袋１３は、第２指袋１２に隣接して配置されている。第３指袋１３は、第２指袋１２に関して第１指袋１１とは反対側に位置している。第４指袋１４は、第３指袋１３に隣接して配置されている。第４指袋１４は、第３指袋１３に関して第２指袋１２とは反対側に位置している。第５指袋１５は、第４指袋１４に隣接して配置されている。第５指袋１５は、第４指袋１４に関して第３指袋１３とは反対側に位置している。
【００２１】
第１指袋１１、第２指袋１２、第３指袋１３、第４指袋１４及び第５指袋１５と掌袋１６とは、内部において互いに接続されている。図１において図示されていないが、本体部１は、例えば、外袋と、外袋の内部に配置される内袋から構成されている。
【００２２】
ウェブ２は、本体部１に取り付けられている。ウェブ２は、第１指袋１１と第２指袋１２との間に配置されている。ウェブ２は、第１辺２ａと、第２辺２ｂとを有している。第１辺２ａは、第１指袋１１に沿っている。第２辺２ｂは、第１辺２ａに対向している。このことを別の観点からいえば、第２辺２ｂは、第２指袋１２に沿っている。ウェブ２は、第３辺２ｃと、第４辺２ｄとをさらに有している。第３辺２ｃ及び第４辺２ｄは、第１辺２ａ及び第２辺２ｂに連なっている。
【００２３】
ウェブ２は、第１面２ｅ（図２参照）と、第２面２ｆ（図２参照）とを有している。第２面２ｆは、第１面２ｅの反対面である。第２面２ｆは、例えば捕球面を構成している。ウェブ２は、ループ部２１を有している。ループ部２１は、第１辺２ａ及び第２辺２ｂの少なくとも一方に設けられている。好ましくは、ループ部２１は、第２辺２ｂに設けられている。ループ部２１の数は、少なくとも１である。ループ部２１の数は、複数であってもよい。より具体的には、ループ部２１の数は、２又は３である。
【００２４】
図２は、実施形態に係る野球用又はソフトボール用捕球具におけるウェブ２のＩＩ−ＩＩ線での模式的な断面図である。図２に示すように、ウェブ２は、第１部材２２と、第２部材２３とを有している。第１部材２２は、第１面２ｅに配置されている。第２部材２３は、第２面２ｆに配置されている。ウェブ２は、第３部材２４をさらに有している。第３部材２４は、第１部材２２と第２部材２３との間に配置されている。なお、ウェブ２は、第１部材２２と第２部材２３との間に配置される部材をさらに有していてもよい。また、ウェブ２は、第３部材２４を用いることなく、第１部材２２と第２部材２３とによって形成されていてもよい。
【００２５】
ループ部２１は、第１部分２１ａと、第２部分２１ｂとを有している。第１部分２１ａは、第１面２ｅ側に配置されている。第１部分２１ａは、例えば、第３部材２４に縫着されている。第２部分２１ｂは、第２面２ｆ側に配置されている。第２部分２１ｂは、第１部分２１ａから折り返されている。第１部分２１ａ及び第２部分２１ｂにより形成されるループには、紐部材３（図２中において、点線で示されている）が挿通される。ウェブ２は、このループに挿通された紐部材３により、本体部１に取り付けられる。
【００２６】
ループ部２１は、好ましくは、第２部材２３の一部である。図３は、実施形態に係る野球用又はソフトボール用捕球具におけるウェブ２の変形例の模式的な断面図である。図３に示すように、ループ部２１は、第２部材２３とは別部材により構成されていてもよい。この場合には、第２部分２１ｂは、例えば、第３部材２４に縫着されている。
【００２７】
図１に示すように、第１面２ｅには、第１溝２ｇが設けられている。第１溝２ｇは、第１部分２１ａと第１部材２２との境界に沿って配置されている。なお、第１部分２１ａと第１部材２２とが接していたとしても、第１部分２１ａと第１部材２２とが重なって配置されていない場合は、「第１溝２ｇが第１部分２１ａと第１部材２２との境界に沿って配置」に含まれる。
【００２８】
このことを別の観点からいえば、第１溝２ｇに位置するウェブ２を構成する層の数（ウェブ２を構成する部材の枚数）は、第１溝２ｇに隣接して配置されるウェブ２を構成する層の数よりも少なくなっている。図２の例でいえば、第１溝２ｇに位置するウェブ２を構成する層の数は２（第１面２ｅ側から、第３部材２４／第２部材２３の２層）であり、第１溝２ｇに隣接して配置されるウェブ２を構成する層の数は３（第１面２ｅ側から、第１部材２２／第３部材２４／第２部材２３の３層又は第２部材２３／第３部材２４／第２部材２３の３層）である。
【００２９】
つまり、第１溝２ｇに位置するウェブ２は、厚さＴ１を有しており、ループ部２１側において第１溝２ｇに隣接しているウェブ２は、厚さＴ２を有しており、ループ部２１とは反対側において第１溝２ｇに隣接しているウェブ２は、厚さＴ３を有している。厚さＴ１は、厚さＴ２及び厚さＴ３よりも小さい。
【００３０】
このことをさらに別の観点からいえば、第１部分２１ａは、第１面２ｅ上において、第１部材２２と離間して配置されている。つまり、第１部分２１ａは、図２に示すように、平面視において、第１部材２２と重ならないように配置されている。
【００３１】
図３に示すように、ループ部２１が第２部材２３と別部材により構成されている場合には、第２面２ｆには、第２溝２ｈが設けられていてもよい。第２溝２ｈは、第２部分２１ｂと第２部材２３との境界に沿って設けられている。
【００３２】
ウェブ２は、第１指袋１１と第２指袋１２との間の領域を密閉していてもよい。「ウェブ２が第１指袋１１と第２指袋１２との間の領域を密閉する」とは、ウェブ２に第１面２ｅから第２面２ｆに向かう方向にウェブ２を貫通する孔が設けられていないことをいう。また、ウェブ２に第１面２ｅから第２面２ｆに向かう方向にウェブ２を貫通する孔が設けられていたとしても、孔の開口面積がそれぞれ５ｍｍ２以下であれば、「ウェブ２が第１指袋１１と第２指袋１２との間の領域を密閉する」に含まれる。
【００３３】
（実施形態に係る野球用又はソフトボール用捕球具の効果）
以下に、実施形態に係る野球用又はソフトボール用捕球具の効果を説明する。
【００３４】
まず、実施形態に係る野球用又はソフトボール用捕球具の基本的な効果を、比較例と対比しながら説明する。
【００３５】
図４は、比較例に係る野球用又はソフトボール用捕球具におけるウェブ２の模式的な断面図である。図４に示すように、比較例に係る野球用又はソフトボール用捕球具においては、ウェブ２は、第１面２ｅ側に配置される第１部材２２と、第２面２ｆ側に配置される第２部材２３と、第１部材２２と第２部材２３との間に配置される第３部材２４とを有している。
【００３６】
比較例に係る野球用又はソフトボール用捕球具においては、ウェブ２は、ループ部２１を有している。ループ部２１は、第２辺２ｂに配置されている。ループ部２１は、第１面２ｅ側に配置される第１部分２１ａと、第２面２ｆ側に配置され、かつ、第１部分２１ａから折り返される第２部分２１ｂとを有している。ループ部２１は、第２部材２３の一部である。これらの点に関し、比較例に係る捕球具におけるウェブ２の構成は、実施形態に係るウェブ２の構成と共通している。
【００３７】
しかしながら、比較例に係る野球用又はソフトボール用捕球具におけるウェブ２においては、図４に示すように、第１部分２１ａが、第１部材２２と平面視において重なるように配置されている。すなわち、第１部分２１ａが、第１部材２２と縫着されている。そのため、比較例に係る捕球具におけるウェブ２では、第１部分２１ａと第１部材２２とが重なっている部分において、ウェブ２の厚さが、周囲よりも厚くなっている。つまり、当該部分において、ウェブ２の剛性が、局所的に高くなっている。別の観点からいえば、ウェブ２は、第１部分２１ａと第１部材２２とが重なっている部分において厚さＴ４を有しており、厚さＴ４は、厚さＴ２及び厚さＴ３よりも大きくなっている。その結果、使用者が比較例に係る捕球具を着用した手に力を入れた際、そのような剛性の高い箇所を中心として折れ曲がり、アーチ形状が崩れる。例えば、本体部１の捕球面にボールを保持しようとした際に、第１部分２１ａと第１部材２２とが重なっている部分で折れ曲がり、アーチ形状が崩れる。
【００３８】
他方で、実施形態に係る野球用又はソフトボール用捕球具のウェブ２においては、第１溝２ｇが、第１部分２１ａと第１部材２２との境界に沿って、第１面２ｅに設けられている。そのため、実施形態に係る野球用又はソフトボール用捕球具のウェブ２においては、第１部分２１ａと第１部材２２とが重ならないように配置されている。したがって、実施形態に係る野球用又はソフトボール用捕球具のウェブ２においては、ループ部２１の近傍における剛性の局所的な上昇を抑制することができる。その結果、実施形態に係る野球用又はソフトボール用捕球具によると、使用者が実施形態に係る野球用又はソフトボール用捕球具を着用した手に力を入れたとしても、捕球具の緩やかなアーチ形状が崩れにくいため、捕球具の使用感を高めることができる。例えば、本体部１の捕球面にボールを保持しようとした際に、剛性の局所的な上昇が抑制されるため、アーチ形状が崩れにくい。
【００３９】
次に、実施形態に係る野球用又はソフトボール用捕球具の追加的な効果を説明する。
第１面２ｅが捕球面の一部を構成している場合、第１溝２ｇも捕球面側に位置していることになる。第１溝２ｇが捕球面側に位置している場合、捕球の際に球が第１溝２ｇと接触することにより、ウェブ２が傷む可能性がある。他方、第２面２ｆが捕球面を構成している場合には、第１溝２ｇは捕球面側に位置していない。そのため、第１溝２ｇには、通常、球が接触しない。そのため、この場合には、ウェブ２の耐久性を改善することができる。
【００４０】
第２辺２ｂは、第１辺２ａよりも捕球具の中心に近い位置にあるため、ループ部２１による局所的な剛性の上昇が第２辺２ｂ側で生じた場合、捕球具のアーチ形状の崩れは、より顕著に生じやすい。実施形態に係る野球用又はソフトボール用捕球具によると、ループ部２１を設けることによりウェブ２の剛性の局所的な上昇を抑制することができるため、ループ部２１を第２辺２ｂに設ける場合であっても、アーチ形状の崩れを抑制することができる。
【００４１】
投手や鋭い打球への対処が要求される野手が使用する捕球具は、第１指袋１１と第２指袋１２との間の領域がウェブ２により密閉されている場合がある。しかしながら、この場合には、ウェブ２の剛性が相対的に上昇するため、捕球具のアーチ形状の崩れが相対的に生じやすくなる。実施形態に係る野球用又はソフトボール用捕球具によると、ループ部２１近傍における剛性の局所的な上昇を抑制することができるため、このような場合であっても、捕球具のアーチ形状の崩れを抑制することができる。
【００４２】
今回開示された実施形態は全ての点で例示であって、制限的なものではないと考えられるべきである。本発明の範囲は、上記した実施の形態ではなく、特許請求の範囲によって示され、特許請求の範囲と均等の意味、及び範囲内での全ての変更が含まれることが意図される。
【産業上の利用可能性】
【００４３】
本実施形態は、野球用の捕球具に特に有利に適用される。
【符号の説明】
【００４４】
１  本体部、１１  第１指袋、１２  第２指袋、１３  第３指袋、１４  第４指袋、１５  第５指袋、１６  掌袋、２  ウェブ、２ａ  第１辺、２ｂ  第２辺、２ｃ  第３辺、２ｄ  第４辺、２ｅ  第１面、２ｆ  第２面、２ｇ  第１溝、２ｈ  第２溝、２１  ループ部、２１ａ  第１部分、２１ｂ  第２部分、２２  第１部材、２３  第２部材、２４  第３部材、３  紐部材、Ｔ１，Ｔ２，Ｔ３，Ｔ４  厚さ。
【図１】
2019122718.tif 000003
【図２】
2019122718.tif 000004
【図３】
2019122718.tif 000005
【図４】
2019122718.tif 000006
【手続補正書】
【提出日】平成30年11月29日(2018.11.29)
【手続補正１】
【補正対象書類名】特許請求の範囲
【補正対象項目名】全文
【補正方法】変更
【補正の内容】
【特許請求の範囲】
【請求項１】
親指を受け入れる第１指袋と、人差し指を受け入れる第２指袋とを有する本体部と、
前記第１指袋と前記第２指袋との間に配置され、かつ、前記第１指袋に沿う第１辺と、前記第１辺と対向する第２辺と、第１面と、前記第１面の反対面である第２面とを有するウェブとを備え、
前記ウェブは、前記第１面に配置される第１部材と、前記第２面に配置される第２部材と、前記第１部材と前記第２部材との間に配置される第３部材とを有し、
前記ウェブは、前記第１面側に配置される第１部分と、前記第２面側に配置され、かつ前記第１部分から折り返される第２部分とを含む少なくとも１以上のループ部を有し、
前記ループ部は、前記第１辺及び前記第２辺の少なくとも一方に設けられ、
前記第１部分は、前記第３部材の前記第１面側に縫着されており、
前記第１面には、前記第１部分と前記第１部材との境界に沿って配置される第１溝が設けられる、野球用又はソフトボール用捕球具。
【請求項２】
前記第１溝に位置する前記ウェブを構成する層の数は、前記第１溝に隣接して配置される前記ウェブを構成する層の数よりも少ない、請求項１に記載の野球用又はソフトボール用捕球具。
【請求項３】
前記第２面は、捕球面の一部を構成する、請求項１又は２に記載の野球用又はソフトボール用捕球具。
【請求項４】
前記ループ部は、前記第２辺に設けられる、請求項１〜３のいずれか１項に記載の野球用又はソフトボール用捕球具。
【請求項５】
前記ループ部の数は複数である、請求項１〜４のいずれか１項に記載の野球用又はソフトボール用捕球具。
【請求項６】
前記第１指袋と前記第２指袋との間の領域は、前記ウェブにより密閉されている、請求項１〜５のいずれか１項に記載の野球用又はソフトボール用捕球具。
【請求項７】
前記ループ部は、前記第２部材の一部である、請求項１〜６のいずれか１項に記載の野球用又はソフトボール用捕球具。
【請求項８】
前記第２部分は、前記第３部材の前記第２面側に縫着されており、
前記第２面には、前記第２部分と前記第２部材との境界に沿って配置される第２溝が設けられる、請求項１〜６のいずれか１項に記載の野球用又はソフトボール用捕球具。
【請求項９】
親指を受け入れる第１指袋と、人差し指を受け入れる第２指袋とを有する本体部と、
前記第１指袋と前記第２指袋との間に配置され、かつ、前記第１指袋に沿う第１辺と、前記第１辺と対向する第２辺と、第１面と、前記第１面の反対面である第２面とを有するウェブとを備え、
前記ウェブは、前記第１面に配置される第１部材と、前記第２面に配置される第２部材とを有し、
前記ウェブは、前記第１面側に配置される第１部分と、前記第２面側に配置され、かつ前記第１部分から折り返される第２部分とを含む少なくとも１以上のループ部を有し、
前記ループ部は、前記第１辺及び前記第２辺の少なくとも一方に設けられ、
前記第１部分は、前記第２部材の前記第１面側に縫着されており、
前記ループ部は、前記第２部材の一部であり、
前記第１面には、前記第１部分と前記第１部材との境界に沿って配置される第１溝が設けられる、野球用又はソフトボール用捕球具。